(57)【要約】【課題】コネクタハウジングの半嵌合状態を防止する。【解決手段】スライダ４０に設けたカム溝４４の終端部４４Ｅ近傍には、フォロアピン１７がカム溝４４を終端部４４Ｅ側へ向かうにつれて両ハウジング１０，２０を離間方向に変位させる戻し部４４Ｄが形成されている。両ハウジング１０，２０の嵌合の終盤において、両ハウジング１０，２０間に内圧の上昇によって離間方向の力が作用すると、その力がスライダ４０を前進位置側へ引き込むように作用するため、スライダ４０が途中位置で止められることが防止され、従って両ハウジング１０，２０が半嵌合状態で放置されるのを防止することができる。【選択図】  図１１
2004193065.tif 000002
【特許請求の範囲】
【請求項１】
互いに嵌合される一対のコネクタハウジングのうちの一方のコネクタハウジングには、カム溝を有するスライダが前記両コネクタハウジングの嵌合方向に対して交差する方向に進退可能に設けられるとともに、他方のコネクタハウジングには前記カム溝と係合可能なフォロアピンが設けられ、前記フォロアピンが前記カム溝の始端部に係合された後、前記スライダの操作に伴って前記フォロアピンが前記カム溝の終端部まで変位されることで両コネクタハウジングが正規嵌合状態に至るようにしたコネクタにおいて、
前記カム溝の終端部近傍には、前記フォロアピンが前記カム溝を前記終端部側へ向かうにつれて前記両コネクタハウジングを離間方向に変位させる戻し部が形成されていることを特徴とするコネクタ。
【請求項２】
正規嵌合状態において両コネクタハウジング間に形成される内部空間がシール部材によって気密状態に閉塞される構成としたことを特徴とする請求項１に記載のコネクタ。
【発明の詳細な説明】
【０００１】
【発明の属する技術分野】
本発明は、カム機構を介して嵌合・離脱されるコネクタに関する。
【０００２】
【従来の技術】
この種のコネクタの一例として、特許文献１に開示されたようなスライダ式のコネクタが知られている。このものは、図１６に示すように、互いに嵌合される一対のコネクタハウジングのうちの一方のコネクタハウジング１に、カム溝２を有するスライダ３が嵌合方向とは交差する方向の進退可能に設けられるとともに、他方のコネクタハウジング（図示せず）にカム溝２と係合可能なフォロワピンが突設された構造となっている。カム溝２には、始端部２Ａから終端部２Ｂ側へ向かうにつれて嵌合方向の奥側（同図の矢線方向）へ向かうような傾斜が付けられている。両コネクタハウジングの嵌合に際しては、まずスライダ３が後退位置にある状態で両コネクタハウジングを浅く嵌合してフォロアピンをカム溝２の入口に臨ませ、続いてスライダ３を前進させると、フォロアピンがカム溝２を終端部２Ｂ側へ変位しつつ両コネクタハウジングが互いに引き寄せられ、フォロアピンがカム溝２の終端部２Ｂに至ったところで両コネクタハウジングが正規嵌合状態となる。
【０００３】
【特許文献１】
米国特許第６１１３４０７号明細書
【０００４】
【発明が解決しようとする課題】
この種のコネクタにおいては、特に両コネクタハウジングの嵌合の終盤ではスライダ３の押し込みに際して相応の抵抗を受けるため、押し込み作業を途中で停止してしまい、両コネクタハウジングが正規嵌合に至らない半嵌合状態で放置される場合があり得る。また、正規に嵌合された状態でも両コネクタハウジング間に離間方向の力が作用すると、スライダ３を後退位置側へ戻しつつ両コネクタハウジングが離間してしまうおそれがある。
本発明は、上記事情に鑑みてなされたもので、その目的は、コネクタハウジングが半嵌合状態になるのを防止するところにある。
【０００５】
【課題を解決するための手段】
上記の課題を解決するための請求項１の発明に係るコネクタは、互いに嵌合される一対のコネクタハウジングのうちの一方のコネクタハウジングには、カム溝を有するスライダが前記両コネクタハウジングの嵌合方向に対して交差する方向に進退可能に設けられるとともに、他方のコネクタハウジングには前記カム溝と係合可能なフォロアピンが設けられ、前記フォロアピンが前記カム溝の始端部に係合された後、前記スライダの操作に伴って前記フォロアピンが前記カム溝の終端部まで変位されることで両コネクタハウジングが正規嵌合状態に至るようにしたコネクタにおいて、前記カム溝の終端部近傍には、前記フォロアピンが前記カム溝を前記終端部側へ向かうにつれて前記両コネクタハウジングを離間方向に変位させる戻し部が形成されているところに特徴を有する。
【０００６】
請求項２の発明は、請求項１に記載のものにおいて、正規嵌合状態において両コネクタハウジング間に形成される内部空間がシール部材によって気密状態に閉塞される構成としたところに特徴を有する。
【０００７】
【発明の作用および効果】
請求項１の発明によれば、カム溝の終端部近傍に戻し部を設けたことで、両コネクタハウジングの嵌合の終盤において、両コネクタハウジング間に離間方向の力が作用すると、その力がスライダを引き込むように作用するため、スライダが途中位置で止められることが防止され、もって両コネクタハウジングが半嵌合状態で放置されるのを防止することができる。
また、正規嵌合状態において、両コネクタハウジングが離間方向に引っ張られた場合でも、フォロアピンがカム溝における終端部側の縁部に押し付けられるのみであるから、フォロアピンがスライダを押し戻して両コネクタハウジングが離間することを確実に防止できる。
【０００８】
請求項２の発明によれば、防水タイプのコネクタの場合には、両コネクタハウジングの嵌合が深まるに従って内圧が高まることから、嵌合終盤にフォロアピンが戻し部に進入すると、スライダが強い力で引き込まれるため、スライダが途中位置で止められることをより確実に防止できる。
【０００９】
【発明の実施の形態】
次に、本発明の一実施形態を図１から図１５を参照して説明する。
この実施形態では、スライダによるてこ機能を利用して嵌合・離脱を助勢する形式のコネクタを例示しており、図１及び図２に示すように、互いに嵌合される雄側のコネクタハウジング１０（以下、雄ハウジングという）と、雌側のコネクタハウジング２０（以下、雌ハウジングという）とを備え、この雌ハウジング２０にスライダ４０が装着されるようになっている。
【００１０】
雄ハウジング１０は合成樹脂製であって、図３にも示すように、横長のブロック状をなす本体部１１の前面に小フード部１２が突設された形状となっている。この雄ハウジング１０における小フード部１２の奥面からは、その正面から見た右端の領域に、図示４本の大雄端子１４Ｌが格子状に配されて突設されているとともに、残りの領域には、小雄端子１４Ｓが、図示１４本ずつの列となって３段に分かれて突設されている。
【００１１】
雌ハウジング２０は同じく合成樹脂製であって、図４にも示すように、上記した雄ハウジング１０の小フード部１２内に嵌合可能な扁平なタワー部２１の回りに、小フード部１２の外側に嵌合可能な大フード部２２が設けられた形状となっている。タワー部２１の外周の奥側には、小フード部１２の内周に弾性的に密着可能なシールリング２３（本発明の「シール部材」に相当）が嵌着されている。また、タワー部２１の前部には、有底筒状のキャップ２４が外嵌されて、これによりシールリング２３が抜け止め状態となっている。大フード部２２の上面と下面とには、それぞれ所定間隔を開けてカバー部２５が形成されており、両カバー部２５と大フード部２２の上下の面との間に、後記するスライダ４０の摺動板４１が挿通される挿通路２６が形成されている。この挿通路２６は、左右両面に開口しているのに対して、前後両面は塞がれている。
【００１２】
タワー部２１の内部には、図４に示すように、その正面から見た左端の領域に、大雌端子２７Ｌ（詳細には図示しないが、以下に示す小雌端子２７Ｓより大型であり、大まかな構成は小雌端子２７Ｓと同様である）が収容される４個の大キャビティ２８Ｌが、大雄端子１４Ｌと対応して格子状の配置で形成されているとともに、残りの領域には、小雌端子２７Ｓが収容される小キャビティ２８Ｓが、小雄端子１４Ｓと対応するようにして、１４個ずつの列となって３段に分かれて形成されている。各キャビティ２８Ｌ，２８Ｓは、前後に開放するとともに、小キャビティ２８Ｓについては、その前方が前記したキャップ２４に覆われることで、小雌端子２７Ｓの前止まりがなされている。なお、キャップ２４の前面には、４個の大キャビティ２８Ｌの周壁の前端部が嵌合される嵌合孔２９と、各小キャビティ２８Ｓに対応した位置に設けられて各小雄端子１４Ｓが挿通される端子挿通孔３０とが開口されている。
【００１３】
大小の各雌端子２７Ｌ，２７Ｓの前部には、内側に弾性接触片（図示せず）を備えた筒状の端子接続部３１が形成され、ここへ前方から相手の雄端子１４Ｌ，１４Ｓが差し込まれると、弾性接触片がその雄端子１４Ｌ，１４Ｓに弾性的に接触することで電気的な接続が取られるようになっている。また、各雌端子２７Ｌ，２７Ｓの後部には、バレル部３２が設けられ、ここに電線３３の端末部とその周囲に嵌着されたゴム栓３４（本発明の「シール部材」に相当）とが圧着されている。ゴム栓３４は、その外周がキャビティ２８Ｌ，２８Ｓ後部の内周面に弾性的に密着可能となっている。
【００１４】
大キャビティ２８Ｌの底面には、大雌端子２７Ｌに一次係止する大ランス３６Ｌが撓み変形可能に設けられている一方、小キャビティ２８Ｓの天井面には、小雌端子２７Ｓに一次係止する小ランス３６Ｓが同じく撓み変形可能に設けられている。タワー部２１の正面から見た右側面には、図６に示すようにリテーナ差込口３７が開口され、大小の雌端子２７Ｌ，２７Ｓをそれぞれ二重係止するリテーナ３８が差し込み可能とされている。
すなわちリテーナ３８がリテーナ差込口３７に挿入されると、まず係止突部３９（小雌端子２７Ｓ用のみを図２に図示）が対応するキャビティ２８Ｌ，２８Ｓの手前側に退避した仮係止位置に保持され、この状態で雌端子２７Ｌ，２７Ｓが対応するキャビティ２８Ｌ，２８Ｓ内に挿入され、所定位置まで押し込まれると、ランス３６Ｌ，３６Ｓによって一次係止される。続いて、リテーナ３８がさらに押し込まれて本係止位置に保持されると、係止突部３９が対応するキャビティ２８Ｌ，２８Ｓ内に進入して、そのキャビティ２８Ｌ，２８Ｓに挿入された雌端子２７Ｌ，２７Ｓに係止することで、抜け止め状態に二重係止するようになっている。
【００１５】
雌ハウジング２０にはスライダ４０が装着されるようになっている。このスライダ４０は、雌ハウジング２０と同様に合成樹脂製ではあるが、雌ハウジング２０とは異なった色の合成樹脂材により成形されている。スライダ４０は、図８及び図９に示すように、一対の摺動板４１の基端側同士を連結板４２で繋いだ門形形状に形成され、両摺動板４１を雌ハウジング２０の上下の挿通路２６に挿通しつつ左右いずれかの側面側から差し込み装着されるようになっている。
両摺動板４１には、カム溝４４が形成されている。カム溝４４は、摺動板４１の先端側から長さ方向の中央部にわたり、詳しくは後述するが、全体としては、幅方向の後縁に向けて次第に傾いた傾斜状に形成されている。このカム溝４４の始端部４４Ａには、摺動板４１の前縁に直角に開口した入口４５が連設されている。
【００１６】
これに対して雄ハウジング１０側では、図１ないし図３に示すように、小フード部１２の上下両面における前縁に寄った位置で、横幅方向の中央部に、上記したカム溝４４に係合可能なフォロワピン１７が立てられている。また、雌ハウジング２０における上下の挿通路２６の前面板２６Ａには、図４に示すように、その横幅方向の中央部に、フォロワピン１７の進入を許容する通孔４７が開口されている。
【００１７】
スライダ４０の両摺動板４１における基端側の外面には、スライダ４０を抜き差し操作する際に利用する掴み部５０が形成されている。一方、雌ハウジング２０における上下のカバー部２５の左右両端部には、図５に示すように、スライダ４０の掴み部５０を嵌めて逃がす逃がし溝５２が形成されている。
【００１８】
スライダ４０の両摺動板４１には、図８及び図９に示すように、カム溝４４の長さ方向のほぼ中央部に対応する位置で、かつ後縁に寄った位置に、抜止片５４が形成されている。この抜止片５４は、摺動板４１の基端側を向いて片持ち状に延設されて撓み変形可能となっており、突出端の外面側に突部５５が形成されている。さらに両摺動板４１には、抜止片５４と連結板４２とのほぼ中央の位置で、かつ後縁に寄った位置に、ロック片５６が形成されている。このロック片５６は、摺動板４１の基端側を向いて片持ち状に延設されて撓み変形可能となっており、延出端の外面側にロック爪５７が形成されている。なお、抜止片５４の突部５５は、延出端側の面が抜止片５４の延出方向に対してほぼ直交する面となっているのに対し、ロック片５６のロック爪５７は、図１０にも示すように、延出端側の面が抜止片５４の延出方向に対して直交する面よりも少し傾斜したテーパ面５７Ａとなっている。
【００１９】
一方、雌ハウジング２０におけるカバー部２５には、図１に示すように、その後縁に沿った位置の長さ方向の中央部に長溝６０が形成されている。この長溝６０内には、抜止片５４の突部５５が移動自由に嵌合可能であって、長さ方向の両端部で表面側が塞がれており、その塞がれた部分の内面に、図７及び図１０に示すように、抜止片５４の突部５５及びロック片５６のロック爪５７が落ち込んで係合可能な係止孔６１が形成されている。この係止孔６１においては、左右方向の外側には垂直な係止面６１Ａが形成され、その反対側にはなだらかな傾斜面６１Ｂが形成されている。
そして、スライダ４０が例えば雌ハウジング２０の挿通路２６に図１の左側から挿通され、抜止片５４の突部５５が、長溝６０における同図の左側の端縁の係止孔６１に落ち込むことで、スライダ４０は抜け止め状態で後退位置に保持される。この後退位置では、カム溝４４の入口４５が雌ハウジング２０の通孔４７に整合した状態となる。
【００２０】
一方、連結板４２が雌ハウジング２０の左側面に当たるまで押し込まれたところが前進位置であって、この前進位置では、図５に示すように、ロック片５６のロック爪５７が係止孔６１に嵌まってロックされるようになっている。ここで、係止孔６１の係止面６１Ａに対しロック爪５７のテーパ面５７Ａが係止した状態となることでいわゆるセミロック機構が構成され、即ちその状態からスライダ４０に対し後退位置側へ所定以上の力が作用した場合には、ロック片５６が撓んで係止状態が解除されるようになっている。
なお、スライダ４０を雌ハウジング２０の右側面側から装着した場合も、上記と同様の作用を呈するので、重複した説明は省略する。すなわち、コネクタの配設位置によって、スライダ４０の差し込み作業等がしやすい方を左右選択することができる。
【００２１】
雌ハウジング２０における上下のカバー部２５には、スライダ４０が正規に後退位置にあるか否かを確認するための確認窓６５が開口されている。確認窓６５は詳細には、図１に示すように長方形に形成され、上記した長溝６０よりも少し手前の位置で、かつカバー部２５の長さ方向の中央部に形成されている。
そして、スライダ４０が後退位置にある場合に限って、摺動板４１おけるカム溝４４の始端部４４Ａの奥側の縁の部分６７が、確認窓６５の全面に臨み、後退位置よりも前にあるときにはカム溝４４の一部が確認窓６５に臨む設定となっている。これは、スライダ４０が右側から装着された場合も同様である。
【００２２】
さて、カム溝４４は、上記した入口４５に連なる始端部４４Ａにて傾斜が少し急に形成され、この始端部４４Ａに連なって直線部４４Ｂが形成されている。この直線部４４Ｂは、始端部４４Ａより傾斜が緩く、奥側へ向かうにつれて嵌合方向の後側へ向かうような傾斜が付けられ、全体として傾斜がほぼ一定であり、カム溝４４の大部分を占めている。直線部４４Ｂの後端が頂点部４４Ｃとされ、ここでカム溝４４が折れ曲がって、その先に戻し部４４Ｄが連なって形成されている。戻し部４４Ｄは、図１３にも示すように、頂点部４４Ｃからカム溝４４の終端部４４Ｅまでの間の領域に設けられ、直線部４４Ｂに比べると長さが短く終端部４４Ｅのごく近傍のみに設けられ、終端部４４Ｅ側へ向かうにつれて嵌合方向の前方へ向かうような傾斜が付けられている。より詳しくは、図１１に拡大して示すように、戻し部４４Ｄの手前側の縁部の傾斜角αは、スライダ４０の変位方向（左右方向）に対して約７度に設定されている。
【００２３】
本実施形態は上記のような構造であって、続いてその作用を説明する。
雌ハウジング２０側では、各キャビティ２８Ｌ，２８Ｓに後方から雌端子２７Ｌ，２７Ｓが挿入されて、ゴム栓３４によってキャビティ２８Ｌ，２８Ｓの後部が閉塞される。そして、リテーナ３８により各雌端子２７Ｌ，２７Ｓが二重に抜け止めされて収容される。
それとともに、雌ハウジング２０にスライダ４０が予め装着される。スライダ４０は例えば雌ハウジング２０の左側面側から挿通路２６に挿入されて、一気に前進位置まで押し込まれる。図５及び図１０に示すように、ロック片５６のロック爪５７が係止孔６１に弾性的に嵌まることで前進位置に保持される。
【００２４】
雌ハウジング２０は、スライダ４０を前進位置に装着した状態で、雄ハウジング１０との嵌合作業現場へと搬入される。そして、両ハウジング１０，２０を嵌合することに先立ち、スライダ４０が後退位置へ戻される。その場合は、スライダ４０の上下の掴み部５０を引くと、ロック片５６がロック爪５７のテーパ面５７Ａに案内されて内方に撓み変形することでロック爪５７が係止孔６１から抜け、ロックが解除されるから、そのままスライダ４０を引っ張る。この間、抜止片５４が長溝６０に沿って戻り、突部５５が係止孔６１に落ち込んだところで引っ張りを停止すると、スライダ４０が図１に示す後退位置に保持された状態となる。
【００２５】
スライダ４０が正規に後退位置に戻されたら、図１の矢線に示すように、雄ハウジング１０が雌ハウジング２０の大フード部２２内に嵌合される。それに伴い、雄ハウジング１０側のフォロワピン１７が通孔４７を通ってカム溝４４の入口４５に進入し、さらに雄ハウジング１０を押し込むと、図１１に示すように、フォロワピン１７が始端部４４Ａの奥側の縁部（同図の上側の縁部）を押すことにより、その傾斜に倣ってスライダ４０が前進位置に向けて所定寸法移動する。これにより、フォロワピン１７がカム溝４４に入り込んだ状態となり、このことは併せて、フォロワピン１７が始端部４４Ａの手前側の側縁に引っ掛かることで、雄ハウジング１０の外れ止めが図られる。
【００２６】
続いて、スライダ４０を前進位置に向けて押し込む。これにより主にカム溝４４の手前側の縁部がフォロワピン１７を押すことによって、フォロアピン１７が始端部４４Ａ及び直線部４４Ｂに沿って変位し、雄ハウジング１０が次第に雌ハウジング２０側に引き込まれる。両ハウジング１０，２０の嵌合が深まっていくと、シールリング２３の外周が撓み変形を伴いつつ小フード部１２の内周に密着し摺接する。このため、両ハウジング１０，２０の内部空間が気密状態になり、両ハウジング１０，２０が接近するにつれて、次第に内圧が高まってそれが両ハウジング１０，２０の離間方向への付勢力となり、その結果スライダ４０にかかる抵抗が増大していく。
【００２７】
両ハウジング１０，２０がより接近すると、各雄端子１４Ｌ，１４Ｓが相手の雌端子２７Ｌ，２７Ｓの端子接続部３１内に差し込まれ、弾性接触片がその雄端子１４Ｌ，１４Ｓに弾性的に接触して互いに摺動する。そして、フォロアピン１７がカム溝４４の頂点部４４Ｃに至ったところで、両ハウジング１０，２０が最も深く嵌合した状態となる。このとき、両ハウジング１０，２０の内圧が最大になり、従ってスライダ４０にかかる抵抗も最大となる（図１２及び図１３の二点鎖線参照）。
【００２８】
その状態からスライダ４０がさらに押し込まれると、フォロアピン１７が頂点部４４Ｃを越えて戻し部４４Ｄに進入し、フォロアピン１７が戻し部４４Ｄを終端部４４Ｅ側へ変位し、両ハウジング１０，２０が次第に離間方向へ変位する。このとき、両ハウジング１０，２０間の内圧による付勢力が、両ハウジング１０，２０を互いに離間方向に押圧して、スライダ４０を引き込むように作用する。その結果、スライダ４０にかかる抵抗が急激に低下し、慣性力が加わってスライダ４０は勢いよく前進位置まで押し込まれる。スライダ４０が前進位置まで押し込まれると、既述したように、ロック片５６のロック爪５７が係止孔６１に嵌まってスライダ４０がロックされる（図１０参照）。このようにして、図１３に示すようにフォロワピン１７がカム溝４４の終端部４４Ｅに到達し、図１４及び図１５に示すように雄雌のハウジング１０，２０が正規に嵌合された状態となる。
【００２９】
上記したように、両ハウジング１０，２０の嵌合の終盤において、両ハウジング１０，２０間に離間方向の力が作用すると、スライダ４０を引き込むように作用するため、スライダ４０が終端部４４Ｅに至らない途中位置のままで止められることが防止される。なお、両ハウジング１０，２０間における離間方向の力の要因として、上記した両ハウジング１０，２０間の内圧の他には、例えば電線３３にかかる引っ張り力や、あるいは両ハウジング１０，２０間に配されたシール部材の弾力などが考えられる。
また、両ハウジング１０，２０の嵌合状態において、例えば電線３３が後方に引っ張られたり、あるいは温度変化に起因する内圧の上昇などの原因で両ハウジング１０，２０間に離間方向の力が作用した場合には、フォロアピン１７がカム溝４４における終端部４４Ｅ側の縁部に押し付けられるだけであるから、フォロアピン１７がスライダ４０を後退位置側へ押し戻して両ハウジング１０，２０が外れることはない。
【００３０】
両ハウジング１０，２０の嵌合を外すには、図１４及び図１５の状態からスライダ４０の掴み部５０を引くと、ロック片５６が撓み変形してロックが解除されるから、引き続いてスライダ４０を引っ張る。すると、フォロアピン１７がカム溝４４の戻し部４４Ｄを頂点部４４Ｃ側へ向かうとともに、両ハウジング１０，２０が一旦嵌合が深まる側へ変位する。そして、フォロアピン１７が頂点部４４Ｃを越えると、主にカム溝４４の奥側の縁部がフォロワピン１７を押すことによって、雄ハウジング１０が次第に雌ハウジング２０から離間する方向に押し出される。スライダ４０が後退位置まで引き戻されると、フォロワピン１７はカム溝４４の入口４５まで戻されるため、続いて、雄ハウジング１０を引っ張れば、フォロワピン１７を通孔４７を通して手前に抜きつつ、雄ハウジング１０を雌ハウジング２０から外すことができる。
【００３１】
以上説明したように本実施形態によれば、カム溝４４の終端部４４Ｅ近傍に戻し部４４Ｄを設けたことで、両ハウジング１０，２０の嵌合の終盤において、両ハウジング１０，２０間に離間方向の力が作用すると、その力がスライダ４０を前進位置側へ引き込むように作用するため、スライダ４０が途中位置で止められることが防止され、従って両ハウジング１０，２０が半嵌合状態で放置されるのを防止することができる。
また、正規嵌合状態において、両ハウジング１０，２０が離間方向に引っ張られた場合でも、フォロアピン１７がカム溝４４における終端部４４Ｅ側の縁部に押し付けられるのみであるから、フォロアピン１７がスライダ４０を押し戻して両ハウジング１０，２０が離間することを確実に防止できる。
さらに、上記のように防水タイプのコネクタの場合には、両ハウジング１０，２０の嵌合が深まるに従って内圧が高まることから、嵌合終盤にフォロアピン１７が戻し部４４Ｄに進入すると、スライダ４０が強い力で引き込まれるため、スライダ４０が途中位置で止められることをより確実に防止できる。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）スライダが雄ハウジング側に装着されるようになっていてもよい。
（２）非防水タイプのコネクタにも適用することができる。
【図面の簡単な説明】
【図１】本発明の一実施形態に係る雌雄のハウジングの嵌合前の平面図
【図２】その縦断面図
【図３】雄ハウジングの正面図
【図４】雌ハウジングの正面図
【図５】スライダを前進位置に組み付けた状態の雌ハウジングの平面図
【図６】その側面図
【図７】雌ハウジングの背面図
【図８】スライダの底面図
【図９】その縦断面図
【図１０】ロック片が係止孔に係合した状態を示す部分拡大平断面図
【図１１】雌雄のハウジングの初期嵌合状態を示す一部切欠平面図
【図１２】雌雄のハウジングが最も深く嵌合した状態を示す一部切欠平面図
【図１３】カム溝の終端部付近を示す部分拡大平面図
【図１４】正規嵌合状態を示す一部切欠平面図
【図１５】その縦断面図
【図１６】従来のコネクタを示す分解斜視図
【符号の説明】
１０…雄ハウジング（他方のコネクタハウジング）
１７…フォロワピン
２０…雌ハウジング（一方のコネクタハウジング）
２３…シールリング（シール部材）
３４…ゴム栓（シール部材）
４０…スライダ
４４…カム溝
４４Ａ…始端部
４４Ｄ…戻し部
４４Ｅ…終端部
【図１】
2004193065.tif 000003
【図２】
2004193065.tif 000004
【図３】
2004193065.tif 000005
【図４】
2004193065.tif 000006
【図５】
2004193065.tif 000007
【図６】
2004193065.tif 000008
【図７】
2004193065.tif 000009
【図８】
2004193065.tif 000010
【図９】
2004193065.tif 000011
【図１０】
2004193065.tif 000012
【図１１】
2004193065.tif 000013
【図１２】
2004193065.tif 000014
【図１３】
2004193065.tif 000015
【図１４】
2004193065.tif 000016
【図１５】
2004193065.tif 000017
【図１６】
2004193065.tif 000018